(57)【要約】      （修正有）【課題】譜面台の折畳式三脚において、閉脚状態から開脚状態への操作が円滑に行える譜面台用折り畳み脚を提供するとともに、折りたたんだ収納状態における体積を極度に小さなものとした譜面台を提供する。【解決手段】支持柱の端部に固定された固定座と支持柱に沿って摺動する移動座を設け、脚の一端を固定座に枢着し、脚が完全に閉状態になったときに、脚と固定座の枢着点と伝達杆と移動座の枢着点を結ぶ直線から開離した位置に、脚と伝達杆の枢着点が位置するようにし、支持柱に固定される固着部と中子パイプを任意の位置で固定する締め上げ部をその周縁が各々他から独立して移動できるように且つ両者を一体に形成し、締め上げ部の外周縁に互いに他と対向して突設された突出縁に締め上げ抑制手段を突設して、蝶ネジで固定した固定装置と、三本の脚のうちの一本の脚の折り曲げ補強部の折り曲げ方向が他の二本の脚の折り曲げ方向とは逆に向くように取り付ける。【選択図】図１
2010110596.tif 000002
【特許請求の範囲】
【請求項１】
入れ子型に形成された複数のパイプからなる譜面台の支持柱の一端に譜面載置枠を設置するとともに、他端近くに固定した固定座と、支持柱上を摺動する移動座と、一端を固定座に反転自在に枢着された脚と、一端を脚にまた他端を移動座に変位可能に枢着した伝達杆とからなる折りたたみ脚を有する折りたたみ式譜面台において、複数のパイプのうちの親パイプに固定される固着部と子パイプを任意の位置で固定する締め上げ部をその周縁が各々他から独立して移動できるように且つ両者を一体に形成し、締め上げ部の外周縁に互いに他と対向して突設された突出縁に締め上げ抑制手段を突設して、蝶ねじによる締め上げを所望の強さに定められるようにするとともに、固着部の外周縁に突設され互いに他と対向する一組の耳を相互にボルトによって近接すべくした、中子型延長パイプの固定装置と、折りたたみ脚の移動座が、切除部を有する筒体からなり、つまみを有し切除部を縫着するように設置されたネジ、伝達杆のための枢着点、及び主脚の先端を支持する載置部を有するとともに、折りたたみ完了位置において脚と固定座の枢着点と伝達杆と移動座の枢着点を結ぶ線を支持柱の軸線と平行に設けるとともに、該線を挟んで脚と伝達杆の枢着点が支持柱の軸線の反対側に位置する折りたたみ脚と、を設置し、且つ、折り曲げ補強部を有する三本の折りたたみ脚のうちの一本の折り曲げ補強部が他の二本の折りたたみ脚の折り曲げ補強部と折り曲げ方向を反対にされている事を特徴とする折りたたみ式譜面台。
【発明の詳細な説明】
【技術分野】
【０００１】  本発明は、小型軽量化を図った携行が簡便な折りたたみ式譜面台に関するものである。
【背景技術】
【０００２】  従来から携帯や運搬を容易にするために、譜面載置台、支柱、支持脚を折りたたんで、携行用バッグなどに収容する形式の譜面台が公知である。【０００３】  譜面台は、譜面を載せる譜面載置台、その台を使用者に対して適当な高さに支持する支柱、その支柱を転倒せぬように支える支持脚から構成され、そのような基本構成はここ数百年にわたって引き継がれてきている。
携帯や運搬における利便性を与えるため、譜面載置台をリンク機構によって折りたたみ可能とし、支柱を入れ子型に三分割して引き出しと固定を可能にし、支持脚を支柱の端部に固定したロクロと支柱上を摺動する摺動子によって傘の骨の動きに似せて折りたたみ可能にした一般的な折りたたみ式譜面台は特許文献１に記載した発明においても公知の事実として明示されている。【０００４】  前述のごとき構造の折りたたみ式譜面台は、ここ数十年にわたって使用されてきたが、現代に於いては更なる軽量化と体積の縮小が望まれている。【０００５】  軽量化は材質とその強度の研究によって開発の度毎に目的の軽量化を達成され、支柱の縮小は支柱を五分割して中子構造を採用することで所望の寸法を達成できるが、折りたたんだ際の全体積の縮小は既に限度に達しており、また中子同士の固定に使用されている従来形式のねじ締め型の固定装置（図９参照）では、更なる体積の縮小は極めて困難であった。【０００６】  材料の軽量化と支柱の短縮によって、従来使用されていた各種部品の構造は見直しを要求され、従来の部品をそのまま転用した場合には、支持脚や支柱の固定装置が全体の体積の縮小の障害になる現状に鑑み、持ち運びが簡便で組み立て或いは使用後の収納が迅速確実に行なえる折りたたみ式譜面台の出現が望まれている。
【特許文献１】特開２００２−３２８６７５号公報
【発明の開示】
【発明が解決しようとする課題】
【０００７】  解決しようとする問題点は、折りたたみ式譜面台において、一層の軽量化と全体の体積の縮小化を図った場合に生じる操作性の悪さと強度の低下を取り除くことにある。
【課題を解決するための手段】
【０００８】  本発明は、折りたたみ式譜面台において、少なくとも四本或いは望ましくは五本の支柱によって折りたたみ時の全長を縮小するとともに、折りたたんだ三本の支持脚と譜面載置枠の全長が折りたたんだ支柱の全長とほぼ等しくできることを最も主要な特徴とする。
【発明の効果】
【０００９】  本発明によると、小型軽量な装置で楽器演奏時に譜面を支持する折りたたみ式譜面台を得ることが出来る利点がある。
【発明を実施するための最良の形態】
【００１０】  入れ子式に短い全長に短縮しうる複数の支柱と、その一端部に設置した操作性の高い折りたたみ脚、並びに各支柱を任意の引き出し位置で固定するための固定装置及び支柱の他端に設置された譜面載置枠により、操作性が高く小型軽量な折りたたみ式譜面台を得ると言う目的を、最小の部品点数で、装置の強度を劣化させることなく実現した。
【実施例】
【００１１】  図１は、本発明を適用すべき装置の一実施例の斜面図であって、Ａはこの実施例の場合五本の中子式管体によって構成された支柱、Ｂは支柱Ａの上端に可動的且つ任意の角度で固定化のうに設置された譜面載置枠、Ｃは支柱Ａの下端に折りたたみ自在に設置された支持脚である。【００１２】  図面に従って本発明の基本的実施例を説明すると、図２から図６において、１は本体で略樽型の外形形状を持ち、本体１は図３に示すように固着部２と締め上げ部３が一体に形成され、両者の間は本体１をその軸線に直角に部分的に切り離すことによって設置したスリット４によって、それぞれ互いに他から独立して一定範囲で可動的に配置されている。本体１の材質は適当な合成樹脂であり、締め上げ部３はその外周の一部が開放されており、開放された二つの端部には突出縁５・５が形成されるとともに、二つの突出縁５には内ねじ６が穿設されている。更に、固着部２もその外周の一部が開放されており、開放された二つの端部には耳７・７が形成されるとともに、二つの耳７にはボルト穴８が穿設されている。【００１３】  突出縁５のねじ穴６・６には蝶ねじ９が、また耳７・７のボルト穴８にはボルト１０が螺着され、固着部２と締め上げ部３を独立して操作する手段とされている。図５及び図６に示す如く、本体１は中空に形成されているので、その中空部Ｈに伸縮支柱となるべき径の異なるアルミパイプを挿入し、ボルト１０を締め上げることによって親パイプＡの端部に本体１を固着し、子パイプＡ’を本体１の中空部Ｈを貫通させた上で親パイプＡに挿入して、蝶ねじ９を締め上げることによって、本体１と子パイプＡ’の位置関係を固定する。【００１４】  図２、図３、図５及び図６に示されている符号１１は、子パイプＡ’を固定するための蝶ねじ９の締め上げ抑制手段で、この実施例の場合には、締め上げ部３の外周の突出縁５・５の互いに他と対向する面に各面ごとに二本ずつ設置された突条が締め上げ抑制手段となっている。蝶ねじ９が締め上げ方向に回動されると、突出縁５・５は互いに相手側に接近してゆくが、対面する突条１１が互いに接触しあうとその位置で突出縁５・５の接近動作は静止され、蝶ねじ９の締め上げ回動が停止される。あらかじめ、本体１の中空部の内径寸法とそれに挿入される子パイプＡ’の外径寸法を定め、子パイプＡ’を固定するための締め上げ部３の適切な収縮寸法を算出し、それに従って突条１１の突出量を定めておけば、蝶ねじ９の単純回動によって最も望ましい締め上げ動作を自動的に完了することができる。【００１５】  締め上げ抑制手段について詳述すると、図示の実施例においては、締め上げ部３の突出縁５・５の対向面に、締め上げられる子パイプＡ’の軸線に直角に突条１１・１１が互いに対向するように突設されてるが、突条１１の突設位置は突出縁５・５の対向面上であれば任意であるとともに、その形状も突条に限らず任意に選択設計することができる。ただし、締め上げて固定すべき子パイプＡ’の円形断面に対して同心的に締め上げることが望ましいので、突出縁５・５が蝶ねじ９の締め上げにより均等に移動するように、この突条１１・１１すなわち締め上げ抑制手段は、二つの突出縁５・５の互いに対向する面に均等な突��量で突設することが望ましい。【００１６】  締め上げ抑制手段を、突出縁５・５から部分的に突出する突条１１・１１によって形成した意図は、本体１の材料である合成樹脂の性質を考慮した上で、蝶ねじ９の締め上げ回動動作を緩やかに且つ明確に制止するためであり、突条１１同志が互いに圧接した場合の各突条１１のわずかな変形と、蝶ねじ９を挟んで設置された突条１１間の空間が、蝶ねじ９の締め上げ回動により突出縁５・５のわずかな変形を許す状態が、蝶ねじ９の締め上げを抑制する場合の適度な緩衝となり、使用者は不快感無く自然な動作で蝶ねじ９の回動抑制を受けることになる。【００１７】  図６及び図７に示す他の実施例においては、先の実施例に示した突条１１が別の形状で設けられている。図７における突条１１ａは、締め上げ部３の突出縁５・５に、固定すべき子パイプＡ’の軸線と平行に突設されており、また図８に示す例では先の二例に示された突条に代えて突起１１ｂが突設されている。これらの突条１１ａ及び突起１１ｂは付設状況や形状が異なっても、その作用効果はすべて先の実施例のものと同等である。【００１８】  次に図１、図１０、図１１及び図１２によって折りたたみ脚の具体的実施例を説明すると、基本的な構造は従来から譜面台に使用されている、固定座Ｓ、脚Ｆ、伝達杆Ｌなどをそのまま援用する。改良を加えるべき点は、移動座Ｍのみであり、脚が完全に折り畳まれた状態で支持柱Ｐから必要量開離した状態で維持されるように、脚Ｆの先端を支持すべき載置部１０２を有する新規の移動座１０１を提供することによってその目的を達成する。この移動座１０１は伝達杆Ｌの一端が枢着される枢着用突起１０３を有した合成樹脂製の筒体１０４からなり、筒体１０４の一部に切除部１０５を有し、切除部１０５を縫着する形にネジ１０６が設置され、ネジ１０６をつまみ１０７を介して回動すると、切除部５が圧縮されて筒体１０４の内径が縮小されるように設定されている。ネジ１０６による切除部１０５の圧縮により、移動座１０１は支持柱Ｐ上の所望の位置に固定される。１０８は切除部１０５がネジ１０６によって過度に内径の縮小を行うことが無いように、切除部１０５の端部に突設された制止突起である。【００１９】  図１３、図１４及び図１５に、開脚のための概念図が示されている。図中Ｔは脚Ｆの先端に設置されたすべり止めの合成樹脂で、脚Ｆ及び伝達杆Ｌはこの実施例の場合金属によって形成されている。使用者は、図１３の脚Ｆが折り畳まれた状態から、すべり止めＴをつまんでそれが支持柱Ｐから開離するように枢着点Ｘを中心に図中左方上方へ引き出す。半ば引き出された状態の脚Ｆは枢着点Ｙに枢着された伝達杆Ｌを介して移動座１を固定座Ｓに近づくように摺動させ、図５の如く変化する。更に脚Ｆを引き出すと、最終的に移動座１０１が固定座Ｓに当接する位置まで全ての部品が移動し、移動座１０１を適当な位置でネジ１０７によって支持柱Ｐに固定すれば、脚Ｆを望ましい状態に維持することが出来る。【００２０】  図１０及び図１３により明らかな如く、本発明においては、支持柱Ｐに固定された固定座Ｓと支持柱Ｐ上を摺動する移動座Ｍを、脚Ｆ及び伝達杆Ｌにより連結し、一般的に三本の脚Ｆを一組として使用する���Ｆを支持柱Ｐに添わせて折り畳んだ状態で、脚Ｆと固定座Ｓの枢着点Ｘと脚Ｆと伝達杆Ｌの枢着点Ｙを結んだ直線と、脚Ｆと固定座Ｓの枢着点Ｘと伝達杆Ｌと移動座Ｍの枢着点Ｚを結んだ直線が、枢着点Ｘを中心として一定角度開いていることが大きな特徴であり、そのような一定角度の開きを確実に維持するために移動座Ｍに載置部２を突設して、折り畳まれた脚Ｆの先端のすべり止めＴを載置部１０２に当接させることによって、一定角度の開きを確保している。【００２１】  更に図１７以下に従って折りたたみ脚の改良による収納時の体積縮小について説明すると、図１７は、本発明の実施例の斜面図であって、２０１は譜面台の支柱、２０２は支柱２０１の端部に固定された上ロクロ、２０３は支柱２０１に沿って摺動可能であると共に任意の位置で支柱２０１に対して固定状態を確保するための固定ネジ２０４を備えた下ロクロである。【００２２】  ２０５ａ、２０５ｂ、２０５ｃはそれぞれ一端にすべり止め２０６を備えた支持脚で、それらの他端は可動的に上ロクロ２０３に軸着されており、一端が支持脚２０５ａ、２０５ｂ、２０５ｃの適当箇所に可動的に軸着されたリンク７の他端は下ロクロ２０３に可動的に軸着されている。２０８は各支持脚２０５ａ、２０５ｂ、２０５ｃの強度を増加させるために設置された折り曲げ補強部で、金属製の支持脚２０５ａ、２０５ｂ、２０５ｃをその板厚にそって折り曲げることによって強度を確保している。【００２３】  図１７において、固定ネジ２０４を緩めて下ロクロ２０３を上方に摺動させると、リンク２０７に牽引された支持脚２０５ａ、２０５ｂ，２０５ｃが上ロクロ２０２の軸着点を中心に上方へ旋回し、最終的に支柱２０１にほぼ平行にそった位置まで移動して、折り畳みが完了する。【００２４】  本発明に於いては、支持脚２０５ａ、２０５ｂ，２０５ｃが折りたたまれた状態でその全幅をより小さくするために、それらの折り曲げ補強部２０８の折り曲げ方向に着目した。【００２５】  従来品の支持脚２０５’は、上ロクロに取り付ける際に全ての折り曲げ補強部２０８’を同一方向にそろえて軸着していた。その状態の概念図は図１８に示す通りである。本発明に於いては、折り曲げ補強部２０８を同一方向に向けている支持脚２０５ｂ、２０５ｃに対して、支持脚２０５ａだけを折り曲げ補強部２０８がそれらと反対方向を向けるように上ロクロ２０２に軸着する。その状態の概念図は図１９に示す通りである。【００２６】  図１７には、支持脚２０５ａは他の支持脚２０５ｂ、２０５ｃと折り曲げ補強部２０８を反対に向けるように取り付けた状態が示されているが、この状態から全ての支持脚２０５ａ、２０５ｂ，２０５ｃを畳み込んだ状態の底面図は図２０に示す通りであり、折り曲げ補強部２０８’の方向をそろえて取り付けた従来の支持脚２０５’による底面図（図２１）と比較すると、本願品の全幅Ｅ１が従来品の全幅Ｅ２よりはるかに小さいことが明瞭に理解できる。【００２７】  このように、折りたたんだ状態の支持脚２０５ａ、２０５ｂ、２０５ｃの幅を縮小することにより、これら支持脚２０５ａ、２０５ｂ、２０５ｃが最終的に収容される折りたたんだ譜面載置枠の収容寸法をより一層小さなものにすることが可��となり、構造全体の体積を縮小することが出来る。
【産業上の利用可能性】
【００２８】  本発明は譜面台についての説明に終始したが、本発明の技術思想はそのままの状態で中子を利用して伸縮して使用状態を得る各種装置、例えば撮影用三脚などにも使用できる。
【図面の簡単な説明】
【００２９】
【図１】本発明を適用すべき折りたたみ式譜面台の斜面図である。
【図２】本発明に適用する固定装置実施例の正面図である。
【図３】本発明に適用する固定装置実施例の正面図である。
【図４】本発明に適用する固定装置実施例の側面図である。
【図５】本発明に適用する固定装置実施例の平面図である。
【図６】本発明に適用する固定装置を固定すべき中子型延長パイプに設置した状態の断面図である。
【図７】本発明に適用する固定装置の第二の実施例の図６と同様の図面である。
【図８】本発明に適用する固定装置の第三の実施例の図６と同様の図面である。
【図９】従来例固定装置の断面図である。
【図１０】本発明に適用する折りたたみ脚実施例の閉脚状態の部分的正面図である。
【図１１】本発明に適用する折りたたみ脚実施例に使用される移動座の平面的な部分的断面図である。
【図１２】本発明に適用する折りたたみ脚実施例に使用される移動座の平面図である。
【図１３】本発明に適用する折りたたみ脚実施例の閉脚状態にある概念図である。
【図１４】本発明に適用する折りたたみ脚実施例の開脚途中にある状態の概念図である。
【図１５】本発明に適用する折りたたみ脚実施例の開脚完了状態の概念図である。
【図１６】従来の譜面台用脚の部分的正面図である。
【図１７】本発明に適用する折りたたみ脚の斜面図である
【図１８】従来品における脚取り付け状態の概念図である。
【図１９】本発明による脚取り付け状態の概念図である。
【図２０】本発明を適用した脚の折りたたみ状態の底面図である。
【図２１】従来品における脚の折りたたみ状態の底面図である。
【符号の説明】
【００３０】１本体
２固着部
３締め上げ部
４スリット
５突出縁
６穴
７耳
８ボルト穴
９蝶ねじ
１０ボルト
１１突条
Ｆ親パイプ
Ｍ子パイプ
１０１移動座
１０２載置部
１０３枢着用突起
１０４筒体
１０５切除部
１０６ネジ
１０７つまみ
１０８制止突起
２０１支柱
２０２上ロクロ
２０３下ロクロ
２０４固定ネジ
２０５ａ支持脚
２０５ｂ支持脚
２０５ｃ支持脚
２０６すべり止め
２０７リンク
２０８折り曲げ補強部
【図１】
2010110596.tif 000003
【図２】
2010110596.tif 000004
【図３】
2010110596.tif 000005
【図４】
2010110596.tif 000006
【図５】
2010110596.tif 000007
【図６】
2010110596.tif 000008
【図７】
2010110596.tif 000009
【図８】
2010110596.tif 000010
【図９】
2010110596.tif 000011
【図１０】
2010110596.tif 000012
【図１１】
2010110596.tif 000013
【図１２】
2010110596.tif 000014
【図１３】
2010110596.tif 000015
【図１４】
2010110596.tif 000016
【図１５】
2010110596.tif 000017
【図１６】
2010110596.tif 000018
【図１７】
2010110596.tif 000019
【図１８】
2010110596.tif 000020
【図１９】
2010110596.tif 000021
【図２０】
2010110596.tif 000022
【図２１】
2010110596.tif 000023